(57)【要約】【課題】所定の画面サイズのディスプレイを保持することができるとともに、画面サイズの異なるディスプレイの設置に対応したディスプレイホルダーを提供する。【解決手段】ディスプレイホルダー１００は、車両のインストルメントパネル部に取り付け可能に構成されている。ディスプレイホルダー１００は、ディスプレイを設置するディスプレイ設置台２０を備えている。ディスプレイ設置台２０は、ディスプレイを下方から支持する下側挟持部５０と、当該ディスプレイの背面と対向する支持壁５２とを備えている。また、ディスプレイ設置台２０は、支持壁５２からディスプレイ側に突出する第１ストッパー５５及び第２ストッパー５６を備えている。第１ストッパー５５と第２ストッパー５６は、幅方向において規定間隔を空けて配置されており、ディスプレイ設置台２０に収容可能である。【選択図】図３
2019189071.tif 000002
【特許請求の範囲】
【請求項１】
ディスプレイを設置するディスプレイ設置台を備え、車両のインストルメントパネル部に取り付け可能に構成されたディスプレイホルダーであって、
前記ディスプレイ設置台は、ディスプレイを下方から支持する下側挟持部と、当該ディスプレイの背面と対向する支持壁と、該支持壁からディスプレイ側に突出している一対のストッパーと、を備え、
前記一対のストッパーは、幅方向において規定間隔を空けて配置されており、前記ディスプレイ設置台に収容可能である
ディスプレイホルダー。
【請求項２】
前記一対のストッパーは、前記ディスプレイ設置台が備える弾性体によって、前記支持壁に開口している貫通孔から突出する方向に付勢されている
請求項１に記載のディスプレイホルダー。
【請求項３】
前記ディスプレイ設置台は、ディスプレイを上方から支持する上側挟持部と、前記下側挟持部に対して前記上側挟持部を変位させて前記下側挟持部と前記上側挟持部との間隔を変位可能な変位機構と、を備え、
前記変位機構は、幅方向において前記一対のストッパーによって挟まれた位置に設けられている
請求項１又は２に記載のディスプレイホルダー。
【請求項４】
前記ディスプレイ設置台は、幅方向の大きさが前記規定間隔よりも大きいディスプレイを幅方向に保持可能な補助アームを備える
請求項１〜３のいずれか一項に記載のディスプレイホルダー。
【発明の詳細な説明】
【技術分野】
【０００１】
本発明は、車両のインストルメントパネル部に取り付けられるディスプレイホルダーに関する。
【背景技術】
【０００２】
車両に搭載され、スマートフォンやタブレットコンピュータ等のディスプレイを設置可能なディスプレイ設置台を備えるディスプレイホルダーが知られている。
例えば特許文献１には、車両のインストルメントパネル部からディスプレイ設置台が引き出されるディスプレイホルダーが開示されている。
【先行技術文献】
【特許文献】
【０００３】
【特許文献１】特表２０１６‐５００３５３号公報
【発明の概要】
【発明が解決しようとする課題】
【０００４】
車両に搭載されるディスプレイホルダーに関して、スマートフォンを設置したりタブレットコンピュータを設置したりというように、画面サイズの異なるディスプレイを使い分けたいという要望がある。すなわち、ディスプレイをディスプレイ設置台に保持することができるとともに、画面サイズの異なるディスプレイの設置に対応できるディスプレイホルダーが求められている。
【課題を解決するための手段】
【０００５】
上記課題を解決するためのディスプレイホルダーは、ディスプレイを設置するディスプレイ設置台を備え、車両のインストルメントパネル部に取り付け可能に構成されたディスプレイホルダーであって、前記ディスプレイ設置台は、ディスプレイを下方から支持する下側挟持部と、当該ディスプレイの背面と対向する支持壁と、該支持壁からディスプレイ側に突出している一対のストッパーと、を備え、前記一対のストッパーは、幅方向において規定間隔を空けて配置されており、前記ディスプレイ設置台に収容可能であることをその要旨とする。
【０００６】
上記構成によれば、幅方向の大きさが規定間隔以内であるディスプレイをディスプレイ設置台に設置する場合、一対のストッパーによってディスプレイの幅方向への移動を規制することができる。
【０００７】
一方、幅方向の大きさが規定間隔よりも大きいディスプレイをディスプレイ設置台に設置する場合には、支持壁から突出したストッパーがディスプレイの背面に当接してディスプレイの設置が不安定になることがある。この点、上記構成によれば、ディスプレイ設置台にストッパーを収容可能であるため、幅方向の大きさが規定間隔よりも大きいディスプレイをディスプレイ設置台に設置する場合に、ディスプレイの設置がストッパーによって妨げられることを抑制できる。
【０００８】
これによって、幅方向の大きさが規定間隔以内であるディスプレイを保持することができるとともに、幅方向の大きさが規定間隔よりも大きいディスプレイを設置する際の設置の安定化を実現することができる。
【０００９】
上記ディスプレイホルダーの一例では、前記一対のストッパーは、前記ディスプレイ設置台が備える弾性体によって、前記支持壁に開口している貫通孔から突出する方向に付勢されている。
【００１０】
上記構成によれば、弾性体による付勢力を上回るだけの力を付与することによってストッパーを収容することができる。すなわち、幅方向の大きさが規定間隔よりも大きいディスプレイをディスプレイ設置台に設置する場合に、当該ディスプレイの背面によってストッパーが押圧されることで支持壁にストッパーを収容することができる。
【００１１】
上記ディスプレイホルダーの一例では、前記ディスプレイ設置台は、ディスプレイを上方から支持する上側挟持部と、前記下側挟持部に対して前記上側挟持部を変位させて前記下側挟持部と前記上側挟持部との間隔を変位可能な変位機構と、を備え、前記変位機構は、幅方向において前記一対のストッパーによって挟まれた位置に設けられている。
【００１２】
上記構成によれば、変位機構が一対のストッパーの間に設けられるため、変位機構が一対のストッパーの間に設けられていない場合に比べて、ディスプレイ設置台が幅方向において大きくなることを抑制できる。
【００１３】
上記ディスプレイホルダーの一例としては、前記ディスプレイ設置台が、幅方向の大きさが前記規定間隔よりも大きいディスプレイを幅方向に保持可能な補助アームを備えていてもよい。
【００１４】
上記構成によれば、幅方向の大きさが規定間隔よりも大きいディスプレイの幅方向への移動を抑制することができる。
【図面の簡単な説明】
【００１５】
【図１】ディスプレイホルダーの一実施形態について、ディスプレイ設置台が格納された状態を示す斜視図。
【図２】同実施形態にかかるディスプレイホルダーのディスプレイ設置台を引き出した状態を示す斜視図。
【図３】同実施形態にかかるディスプレイホルダーのディスプレイ設置台を伸長した状態を示す斜視図。
【図４】同実施形態にかかるディスプレイホルダーのディスプレイ設置台を示す正面図。
【図５】図４における５−５線に沿った断面図。
【図６】同実施形態にかかるディスプレイホルダーが備えるストッパーが収容された状態を示す断面図。
【図７】ディスプレイホルダーの変更例を示す斜視図。
【発明を実施するための形態】
【００１６】
以下、ディスプレイホルダーの一実施形態について、図１〜図６を参照して説明する。
図１には、ディスプレイ設置台２０が格納部１０に格納された状態のディスプレイホルダー１００を示している。
【００１７】
格納部１０は、車両のインストルメントパネル部に取り付けられる箱体状を有する。格納部１０は、四角形状の引出口１１Ｈを車室に向けた開口部１１を備えている。開口部１１は、引出口１１Ｈの内側に向けて図中下方に延びる突部１２を備えている。突部１２は、引出口１１Ｈの縁を底部とした逆錐台状を有する。格納部１０は、箱体状の内部の空間にディスプレイ設置台２０を格納することができる。
【００１８】
ディスプレイ設置台２０は、操作部３０を備えている。操作部３０は、前面壁３１とハンドル３２とを備えている。前面壁３１は、格納部１０に格納されたディスプレイ設置台２０の正面を構成する。操作部３０は、第１切り欠き部３３を備える。第１切り欠き部３３は、前面壁３１の周縁に位置し、開口部１１の上側縁に開口を向けている。第１切り欠き部３３の外形は、引出口１１Ｈと対向する方向から見て、突部１２の外形と一致している。図１に示すようにディスプレイ設置台２０が格納部１０に格納された状態において、第１切り欠き部３３は、突部１２によって埋められている。また、引出口１１Ｈの全体は、前面壁３１によって埋められている。引出口１１Ｈの全体が前面壁３１によって埋められている場合、開口部１１と操作部３０とによる連続的な表面が形成される。
【００１９】
ハンドル３２は、図中下方に開口を向けた半椀状に前面壁３１から膨出しており、下方から指等を挿し入れることができる。ハンドル３２は、ディスプレイ設置台２０を格納部１０から引き出すこと、及び、引き出された状態のディスプレイ設置台２０を格納部１０に押し込むことに用いられる。また、ハンドル３２は、ディスプレイ設置台２０を、後述する到伏姿勢から起立姿勢に変位させることにも用いられる。
【００２０】
図２には、格納部１０からディスプレイ設置台２０を引き出した状態を示している。
ディスプレイホルダー１００は、並進台４０を備えている。ディスプレイホルダー１００は、格納部１０とディスプレイ設置台２０と並進台４０とによって構成されている。並進台４０は、並進板４１と閉塞壁４２とを備えている。
【００２１】
並進板４１は、格納部１０に格納される矩形板状を有し、開口部１１の引出口１１Ｈを通過できる大きさを有する。並進板４１は、格納部１０から車室内に向けた並進台４０の引き出しと、車室内から格納部１０に向けた並進台４０の押し込みとを可能にする。並進板４１は、車室側の端部に回転軸４１Ａを備えている。ディスプレイ設置台２０は、並進板４１の回転軸４１Ａに連結されて、並進板４１に沿って倒れた姿勢（倒伏姿勢）と、起立した姿勢（起立姿勢）との間で回転する。ディスプレイ設置台２０は、並進板４１と共に、倒伏姿勢で格納部１０に格納される。ディスプレイ設置台２０は、並進板４１と共に格納部１０から倒伏姿勢で引き出されて、図中矢印方向に回転し、起立姿勢に変位する。
【００２２】
なお、図２には、ディスプレイ設置台２０が格納部１０から引き出される方向とディスプレイ設置台２０が格納部１０に押し込まれる方向とを示す矢印を表示している。当該矢印において、ディスプレイ設置台２０が引き出される方向を正面側として、ディスプレイ設置台２０が押し込まれる方向を背面側とする。
【００２３】
閉塞壁４２は、並進板４１における背面側の端部に設けられている。閉塞壁４２は、並進台４０の背面を構成する。閉塞壁４２は、第４切り欠き部４３を備えている。第４切り欠き部４３は、閉塞壁４２の周縁に位置し、開口部１１の上側縁に開口を向けている。第４切り欠き部４３の外形は、引出口１１Ｈと対向する方向から見て、突部１２の外形と一致している。第４切り欠き部４３は、突部１２によって埋められている。図２に示すように、格納部１０からディスプレイ設置台２０が引き出された状態において、引出口１１Ｈの全体は、閉塞壁４２によって埋められている。
【００２４】
また、操作部３０は、背面部３４を備えている。背面部３４は、図２に示すように起立姿勢のディスプレイ設置台２０において、前面壁３１から上方に延びている。背面部３４は、起立姿勢のディスプレイ設置台２０において、開口部１１と対向する面、すなわち、ディスプレイ設置台２０の背面を構成する。ディスプレイ設置台２０は、倒伏姿勢においては、背面部３４の背面と並進板４１の上面とが対向する。
【００２５】
ディスプレイ設置台２０は、下側挟持部５０と上側挟持部６０とを備えている。ディスプレイホルダー１００では、起立姿勢のディスプレイ設置台２０において鉛直下方に位置する下側挟持部５０と、鉛直上方に位置する上側挟持部６０と、によってディスプレイを挟むことができる。図２には、上下方向を示す矢印を表示している。
【００２６】
下側挟持部５０は、下側挟持壁５１、支持壁５２、及び、一対の下側保持片５３を備えている。
下側挟持壁５１は、図２に示す起立姿勢において、操作部３０における前面壁３１の上方側の面に面接触するように取り付けられている。下側挟持壁５１は、第２切り欠き部５４を備えている。第２切り欠き部５４の外形は、上下方向から見て、前面壁３１における第１切り欠き部３３の外形と一致している。これら第１及び第２切り欠き部３３，５４の開口は、ディスプレイ設置台２０の引き出される方向、すなわち正面側を向いている。ディスプレイ設置台２０が倒伏姿勢で引出口１１Ｈを通るとき、開口部１１の突部１２は、第１及び第２切り欠き部３３，５４を通ることができる。
【００２７】
支持壁５２は、図２に示す起立姿勢において、下側挟持壁５１における背面側の端部から上方に延びている。支持壁５２は、背面部３４の正面側に取り付けられている。
一対の下側保持片５３は、図２に示す起立姿勢において、下側挟持壁５１における正面側の端部から上方に突出している。一対の下側保持片５３は、第２切り欠き部５４の開口を挟んでいる。図２には、一対の下側保持片５３と第２切り欠き部５４とが並ぶ方向を幅方向とする矢印を表示している。
【００２８】
図２に示すように、上側挟持部６０は、起立姿勢のディスプレイ設置台２０において背面部３４の上方側の端部よりも上方に位置している。上側挟持部６０は、背面部３４が有する変位機構６９に取り付けられている。上側挟持部６０は、変位機構６９によって上方に伸長可能に構成されている。
【００２９】
上側挟持部６０は、上側挟持壁６１、及び、一対の上側保持片６３を備えている。
上側挟持壁６１は、第３切り欠き部６４を備えている。第３切り欠き部６４の外形は、図２に示す起立姿勢において上下方向から見て、第１及び第２切り欠き部３３，５４の外形と一致している。第３切り欠き部６４の開口は、正面側を向いている。
【００３０】
一対の上側保持片６３は、図２に示す起立姿勢において、上側挟持壁６１における正面側の端部から下方に突出している。一対の上側保持片６３は、第３切り欠き部６４の開口を幅方向に挟んでいる。ディスプレイ設置台２０が倒伏姿勢で引出口１１Ｈを通るとき、開口部１１の突部１２は、第３切り欠き部６４を通ることができる。
【００３１】
図３には、ディスプレイ設置台２０が起立姿勢であり、図２に示した状態から並進台４０を背面側に移動させて、並進台４０を格納部１０に押し込んだ状態を示している。
さらに図３では、変位機構６９によって上側挟持部６０が上方に伸長している状態を示している。上側挟持壁６１には、変位機構６９を構成する伸長壁６５が接続されている。伸長壁６５が上方に変位することによって、上側挟持部６０が下側挟持部５０に対して上方に変位することができる。上側挟持部６０が下側挟持部５０に対して上下方向に変位することで、上側挟持部６０と下側挟持部５０との間隔を変位させることができる。また、変位機構６９は、上側挟持部６０が上方に変位した状態で伸長壁６５の位置を固定することのできる固定機能を備えている。
【００３２】
図３には、起立姿勢のディスプレイ設置台２０に設置されるディスプレイの一例として、第１のディスプレイ７１を示している。下側挟持壁５１は、第１のディスプレイ７１を下方から支持している。支持壁５２は、第１のディスプレイ７１の背面と対向している。一対の下側保持片５３は、第１のディスプレイ７１の下縁が下側挟持壁５１から外れることを抑えている。また、上側挟持壁６１は、第１のディスプレイ７１を上方から支持している。一対の上側保持片６３は、第１のディスプレイ７１の上縁が上側挟持壁６１から外れることを抑えている。なお、ディスプレイ設置台２０に設置するディスプレイとしては、スマートフォンやタブレットコンピュータ等がある。
【００３３】
図２及び図３に示すように、ディスプレイ設置台２０は、一対のストッパーとして、幅方向に並んだ第１ストッパー５５及び第２ストッパー５６を備えている。第１ストッパー５５及び第２ストッパー５６は、支持壁５２における正面側の面から正面側に突出している。
【００３４】
図４には、正面側から視たディスプレイ設置台２０を示している。図４には、第１ストッパー５５における第２ストッパー５６側の面と、第２ストッパー５６における第１ストッパー５５側の面と、がなす間隙の大きさをストッパー間隔Ｓ１として表示している。
【００３５】
図２〜図４に示すように、第１ストッパー５５及び第２ストッパー５６は、支持壁５２の上下方向中央よりも上側挟持部６０側に位置している。第１ストッパー５５及び第２ストッパー５６は、ストッパー間隔Ｓ１を維持して上下方向に延設されている。
【００３６】
図５に示すように、第１ストッパー５５及び第２ストッパー５６は、支持壁５２と背面部３４との間に配置される基部と、基部から延設されており支持壁５２から出没される先端ピン部と、によって構成されている。
【００３７】
図５に示すように、支持壁５２と背面部３４との間には、弾性体としての第１スプリング３５及び第２スプリング３６が配設されている。第１スプリング３５の両端は、第１ストッパー５５の基部と背面部３４とに接続されている。第２スプリング３６の両端は、第２ストッパー５６の基部と背面部３４とに接続されている。
【００３８】
支持壁５２と背面部３４との間には、第１ストッパー５５の基部及び第２ストッパー５６の基部に対して幅方向両側に位置する側壁がそれぞれ設けられている。
支持壁５２には、第１ストッパー５５の先端ピン部と第２ストッパー５６の先端ピン部とが突出する貫通孔がそれぞれ開口している。
【００３９】
第１ストッパー５５は、第１スプリング３５によって突出方向に付勢されている。第１ストッパー５５は、貫通孔を介して支持壁５２から突出している。第２ストッパー５６は、第２スプリング３６によって突出方向に付勢されている。第２ストッパー５６は、貫通孔を介して支持壁５２から突出している。
【００４０】
図５には、幅方向の大きさが横幅Ｗ１である規定サイズのディスプレイとして第１のディスプレイ７１を示している。横幅Ｗ１は、ストッパー間隔Ｓ１よりも小さい。
なお、規定サイズのディスプレイとは、横方向の大きさが横幅Ｗ１であり、縦方向の大きさが横幅Ｗ１よりも大きいディスプレイである。縦方向の大きさはストッパー間隔Ｓ１よりも大きい。図３に示すように、縦方向の辺と横方向の辺のうち小さい側の辺が幅方向に沿うようにディスプレイ設置台２０にディスプレイを設置することを縦置きという。一方、大きい側の辺が幅方向に沿うようにディスプレイ設置台２０にディスプレイを設置することを横置きという。
【００４１】
ストッパー間隔Ｓ１は、幅方向の大きさがストッパー間隔Ｓ１以内であるディスプレイをディスプレイ設置台２０に設置する場合に、当該ディスプレイが幅方向に移動することを第１ストッパー５５と第２ストッパー５６とによって規制することのできる間隔として設定されている。
【００４２】
ここで、図５に示すように、第１ストッパー５５において、先端ピン部における正面側の端から基部における背面側の端までの長さをストッパー長Ｌ１とする。また、ディスプレイ設置台２０において、背面部３４における支持壁５２と対向する側の面から支持壁５２の正面側の面までの長さを空間幅Ｌ２とする。第１ストッパー５５とディスプレイ設置台２０とは、ストッパー長Ｌ１が空間幅Ｌ２以下の長さとなるように構成されている。第２ストッパー５６とディスプレイ設置台２０とについても、同様の長さ関係を有している。
【００４３】
図６に示すように、第１ストッパー５５及び第２ストッパー５６は、ディスプレイ設置台２０に収容することができる。第１ストッパー５５及び第２ストッパー５６は、第１スプリング３５及び第２スプリング３６の付勢力を上回る力が正面側から付与された場合、背面側に移動することで支持壁５２と背面部３４との間に収容される。このとき、第１ストッパー５５及び第２ストッパー５６の各基部は、各基部の幅方向両側に位置する側壁の間を摺動する。図５に示したようにストッパー長Ｌ１が空間幅Ｌ２以下の長さであるため、第１ストッパー５５及び第２ストッパー５６は、最も背面側に移動した際に先端ピン部における正面側の端が支持壁５２から突出しない。
【００４４】
図６には、幅方向の大きさがストッパー間隔Ｓ１よりも大きい横幅Ｗ２であるディスプレイとして第２のディスプレイ７２を示している。例えば、第１ストッパー５５及び第２ストッパー５６が第２のディスプレイ７２の背面によって背面側に押圧された場合、第１ストッパー５５及び第２ストッパー５６は、背面側に移動して、ディスプレイ設置台２０に収容される。
【００４５】
図５及び図６に示すように、支持壁５２と背面部３４との間には、伸長壁６５を有する変位機構６９が設けられている。変位機構６９は、幅方向において第１ストッパー５５と第２ストッパー５６との間に挟まれる位置に設けられている。
【００４６】
本実施形態の作用及び効果について説明する。
ディスプレイホルダー１００では、幅方向にストッパー間隔Ｓ１を空けて設けられている一対のストッパーである第１ストッパー５５及び第２ストッパー５６が、ディスプレイ設置台２０の支持壁５２から突出している。これによって、図３に例示した、規定サイズのディスプレイをディスプレイ設置台２０に縦置きする場合のように、幅方向の大きさがストッパー間隔Ｓ１以内であるディスプレイをディスプレイ設置台２０に設置するときには、ディスプレイが幅方向に変位することを第１ストッパー５５及び第２ストッパー５６によって規制することができる。
【００４７】
さらに、ディスプレイホルダー１００では、第１ストッパー５５及び第２ストッパー５６をディスプレイ設置台２０に収容することができる。このため、図６に例示した第２のディスプレイ７２のようにディスプレイ設置台２０に設置するディスプレイの幅方向の大きさがストッパー間隔Ｓ１よりも大きい場合には、第１ストッパー５５及び第２ストッパー５６を収容することによって、第１ストッパー５５及び第２ストッパー５６がディスプレイの設置の妨げになることを抑制できる。
【００４８】
このように、ディスプレイホルダー１００では、規定サイズのディスプレイよりも幅方向に大きいディスプレイを設置できる。すなわち、画面サイズの異なるディスプレイの設置に対応することができる。
【００４９】
また、ディスプレイ設置台２０に設置するディスプレイが規定サイズのディスプレイであっても、当該ディスプレイを横置きする場合には、幅方向の大きさがストッパー間隔Ｓ１よりも大きくなる。この点、ディスプレイホルダー１００によれば、第１ストッパー５５及び第２ストッパー５６を収容できるため、ディスプレイの横置きにも対応することができる。すなわち、規定サイズのディスプレイよりも幅方向の大きさが大きいディスプレイを設置する場合と同様に第１ストッパー５５及び第２ストッパー５６をディスプレイ設置台２０に収容することによって、第１ストッパー５５及び第２ストッパー５６がディスプレイの設置の妨げになることを抑制できる。
【００５０】
さらに、ディスプレイホルダー１００では、第１ストッパー５５及び第２ストッパー５６が第１スプリング３５及び第２スプリング３６によって突出方向に付勢されている。このため、第１ストッパー５５及び第２ストッパー５６をディスプレイの背面で押圧するだけで、第１ストッパー５５及び第２ストッパー５６を収容することができる。
【００５１】
また、ディスプレイホルダー１００では、下側挟持部５０と上側挟持部６０との間隔を変位可能に構成している。このため、起立姿勢のディスプレイ設置台２０において、上側挟持部６０を上方に引き上げて、下側挟持部５０と上側挟持部６０との間にディスプレイを配置することができる。そして、上側挟持部６０がディスプレイの上縁と当接するように上側挟持部６０を下方に変位させることによって、下側挟持部５０と上側挟持部６０とによってディスプレイを挟持することができる。このようにディスプレイを挟持して固定することで、車両の走行に伴って生じる振動によってディスプレイが外れることを抑制できる。
【００５２】
なお、ディスプレイ設置台２０に設置されるディスプレイの正面側から背面側までの長さ、すなわちディスプレイの厚さによっては、下側挟持部５０と上側挟持部６０とによって当該ディスプレイを挟持した際に第１ストッパー５５及び第２ストッパー５６が最も背面側まで移動しない場合もある。この場合であっても、背面側に移動可能に設けられている第１ストッパー５５及び第２ストッパー５６は、ディスプレイの設置を妨げないように支持壁５２からの突出長さを短くすることができる。すなわち、第１ストッパー５５及び第２ストッパー５６がディスプレイの設置の妨げになることが抑制される。
【００５３】
さらに、ディスプレイホルダー１００では、上側挟持部６０を変位させる変位機構６９を、幅方向において第１ストッパー５５と第２ストッパー５６との間に配置している。これによって、幅方向において第１ストッパー５５や第２ストッパー５６の外側に変位機構６９を設ける場合と比較して、ディスプレイ設置台２０の幅方向の長さが大きくなることを抑制できる。
【００５４】
また、ディスプレイホルダー１００では、ディスプレイ設置台２０にディスプレイを設置した際にディスプレイの下方を支持する下側挟持部５０には第２切り欠き部５４が設けられており、操作部３０には第１切り欠き部３３が設けられている。これによって、図３に示すように、ディスプレイに着脱可能なケーブル７３を下側挟持部５０の下方から第１及び第２切り欠き部３３，５４を通してディスプレイに接続することができる。なお、ケーブル７３としては、例えば、ディスプレイを外部電源と接続する給電用ケーブルや、ディスプレイと外部端末との間でデータの送受信が可能な信号用ケーブル等がある。
【００５５】
上記実施形態における事項と、上記「課題を解決するための手段」の欄に記載した事項との対応関係について、ストッパー間隔Ｓ１は、規定間隔に対応する。
本実施形態は、以下のように変更して実施することができる。本実施形態及び以下の変更例は、技術的に矛盾しない範囲で互いに組み合わせて実施することができる。
【００５６】
・図７に示すように、ディスプレイ設置台２０の背面部３４に補助アーム７４を取り付けてもよい。補助アーム７４は、幅方向に延びた両端に第１挟持片７５及び第２挟持片７６を備えている。第１挟持片７５及び第２挟持片７６は、正面側に突出している。例えば、補助アーム７４の幅方向中央に位置する固定孔に、背面部３４に設けられている固定片を嵌め合わせることで、背面部３４に補助アーム７４を取り付けることができる。
【００５７】
幅方向の大きさがストッパー間隔Ｓ１よりも大きいディスプレイをディスプレイ設置台２０に設置する場合、第１挟持片７５及び第２挟持片７６によって当該ディスプレイを幅方向に挟持するように第１挟持片７５と第２挟持片７６との間の間隔を設定することによって、補助アーム７４を用いたディスプレイの保持を実現することができる。
【００５８】
また、補助アーム７４としては、第１挟持片７５と第２挟持片７６との間の間隔を変更することのできる可動式のアームを採用することもできる。この場合、アームを格納部１０に格納することもできる。
【００５９】
・上記実施形態では、変位機構６９を幅方向において第１ストッパー５５と第２ストッパー５６との間に配置している。必ずしも第１ストッパー５５と第２ストッパー５６との間に変位機構６９を設けなくてもよい。
【００６０】
・上記実施形態において、格納部１０が有する突部１２や、ディスプレイ設置台２０が有する第１〜第３切り欠き部３３，５４，６４及び並進台４０が備える第４切り欠き部４３は、必須の構成ではない。例えば、第２切り欠き部５４を省略して、下側保持片５３が幅方向において連続するようにしてもよい。
【００６１】
・上記実施形態におけるストッパー間隔Ｓ１は、設置するディスプレイの画面サイズに応じて適宜設定することができる。すなわち、第１ストッパー５５及び第２ストッパー５６を設ける位置は変更が可能である。
【００６２】
・上記実施形態では、第１ストッパー５５及び第２ストッパー５６は、上下方向に延設された形状を採用している。第１ストッパー５５及び第２ストッパー５６の形状は変更が可能であり、例えば円柱や角柱等の突起でもよい。
【００６３】
・上記実施形態では、第１ストッパー５５と第２ストッパー５６とがそれぞれ独立しているが、支持壁５２と背面部３４との間において第１ストッパー５５と第２ストッパー５６とを連結してもよい。
【００６４】
・上記実施形態では、第１ストッパー５５と第２ストッパー５６からなる一対のストッパーを設けたが、三つ以上のストッパーを設けることもできる。
例えば、第１ストッパー５５及び第２ストッパー５６に対して下方側にストッパーをそれぞれ設け、二対のストッパーを配置することもできる。また、第１ストッパー５５及び第２ストッパー５６よりも幅方向外側にストッパーをそれぞれ設けてもよい。このように、複数対のストッパーを配置することもできる。
【００６５】
また、少なくとも一対のストッパーが設けられているのであれば、奇数個のストッパーを配置することもできる。
・上記実施形態では、格納部１０とディスプレイ設置台２０と並進台４０とによって構成されているディスプレイホルダー１００を例示した。ディスプレイホルダーは、ディスプレイ設置台と、当該ディスプレイ設置台の背面と車両のインストルメントパネル部とを接続する接続部と、によって構成してもよい。ディスプレイの背面と対向する支持壁から突出しておりディスプレイ設置台に収容可能なストッパーを備えているのであれば、上記実施形態と同様に、一対のストッパーによってディスプレイを保持する効果や、画面サイズの大きいディスプレイを設置する際にストッパーが設置の妨げとなることを抑制する効果を奏することができる。
【符号の説明】
【００６６】
１００…ディスプレイホルダー、１０…格納部、１１…開口部、１２…突部、２０…ディスプレイ設置台、３０…操作部、３１…前面壁、３２…ハンドル、３３…第１切り欠き部、３４…背面部、３５…第１スプリング、３６…第２スプリング、４０…並進台、４１…並進板、４１Ａ…回転軸、４２…閉塞壁、４３…第４切り欠き部、５０…下側挟持部、５１…下側挟持壁、５２…支持壁、５３…下側保持片、５４…第２切り欠き部、５５…第１ストッパー、５６…第２ストッパー、６０…上側挟持部、６１…上側挟持壁、６３…上側保持片、６４…第３切り欠き部、６５…伸長壁、６９…変位機構、７１…第１のディスプレイ、７２…第２のディスプレイ、７３…ケーブル。
【図１】
2019189071.tif 000003
【図２】
2019189071.tif 000004
【図３】
2019189071.tif 000005
【図４】
2019189071.tif 000006
【図５】
2019189071.tif 000007
【図６】
2019189071.tif 000008
【図７】
2019189071.tif 000009